(57)【要約】【課題】宅外の照明器具と宅内の照明器具の両方の点灯制御を行うとともに、配線工事を不要とする。【解決手段】熱線センサ付自動スイッチ１は、宅外の照明負荷Ｌ１及び商用電源ＡＣからなる第１の直列回路に接続される第１の開閉素子６７０と、宅内の照明負荷Ｌ２及び商用電源ＡＣからなる第２の直列回路に接続される第２の開閉素子６７１と、第１の直列回路の両端間の開閉を設定するための操作スイッチと、操作スイッチでの設定に応じて第１の直列回路の両端間における開閉を切り替えるように第１の開閉素子６７０を制御して宅外の照明負荷Ｌ１の点灯と消灯を切り替える第１の制御機能、及び、熱線センサ５が熱線を検知すると第２の直列回路の両端間を閉状態になるように第２の開閉素子６７１を制御して宅内の照明負荷Ｌ２を点灯させる第２の制御機能を有する回路部６の制御部６７とを、造営面に配設される器体に収納して備える。【選択図】図１
2008108636.tif 000002
【特許請求の範囲】
【請求項１】
宅外の照明負荷及び宅内の照明負荷のそれぞれと２線式配線によって接続する熱線センサ付自動スイッチであって、
造営面に配設される器体を備え、
人体からの熱線を検知する熱線センサと、
前記宅外の照明負荷及び前記電源が直列に接続される第１の直列回路の両端間に電気的に接続され当該両端間を電気的に開閉する第１の開閉素子と、
前記宅内の照明負荷及び前記電源が直列に接続される第２の直列回路の両端間に電気的に接続され当該両端間を電気的に開閉する第２の開閉素子と、
前記第１の直列回路の両端間の開閉を設定するための第１の操作スイッチと、
前記第１の操作スイッチでの設定に応じて前記第１の直列回路の両端間における開閉を切り替えるように第１の開閉素子を制御して前記宅外の照明負荷の点灯と消灯を切り替える第１の制御機能、及び、前記熱線センサが前記熱線を検知すると前記第２の直列回路の両端間を閉状態になるように前記第２の開閉素子を制御して前記宅内の照明負荷を点灯させる第２の制御機能を有する制御手段と
を前記器体に収納して備える
ことを特徴とする熱線センサ付自動スイッチ。
【請求項２】
前記器体の前面に設けられ前記宅内の照明負荷の点灯時間を設定するための設定操作部と、
前記設定操作部に対向する部位に開口窓が形成され前記器体の前記前面に回動自在に枢支される操作ハンドルと、
前記操作ハンドルの前面側に設けられ、前記開口窓を露出させる位置と当該開口窓を覆う位置との間で回動自在に枢着されるハンドルカバーと
を備えることを特徴とする請求項１記載の熱線センサ付自動スイッチ。
【請求項３】
前記器体の前記前面に露出し前記操作ハンドルで押駆動される操作子を有して当該器体に収納される第２の操作スイッチを備え、
前記制御手段が、前記操作子が前記操作ハンドルで押されると前記宅内の照明負荷が点灯しているときは消灯し、消灯しているときは点灯するように制御する第３の制御機能を有する
ことを特徴とする請求項２記載の熱線センサ付自動スイッチ。
【請求項４】
前記制御手段が前記宅外の照明負荷を調光制御することを特徴とする請求項１乃至３のいずれか１項に記載の熱線センサ付自動スイッチ。
【請求項５】
前記宅外の照明負荷及び前記宅内の照明負荷の少なくとも一方の点灯と消灯の切替を設定するための無線信号を送信する子器から前記無線信号を受信する受信手段を備え、
前記制御手段が、前記無線信号に基づいて前記宅外の照明負荷及び前記宅内の照明負荷のそれぞれの点灯と消灯を切り替える第４の制御機能を有する
ことを特徴とする請求項１乃至４のいずれか１項に記載の熱線センサ付自動スイッチ。
【発明の詳細な説明】
【技術分野】
【０００１】
本発明は、宅外の照明負荷及び宅内の照明負荷のそれぞれの点灯と消灯を制御する熱線センサ付自動スイッチに関するものである。
【背景技術】
【０００２】
宅外の照明負荷及び宅内の照明負荷のそれぞれの点灯と消灯を制御する手段として、図１７に示すように、宅外の照明器具Ｌ１の点灯と消灯を切り替えるスイッチ９０と、宅内の照明器具Ｌ２の点灯と消灯を切り替えるスイッチ９１とを別々に備えるものがあった。
【０００３】
上記スイッチ９０，９１の一例として、例えば特許文献１には、人体からの熱線を検知する熱線センサと、熱線センサが人体を検知したときに照明負荷の点灯を維持させる動作保持時間を設定するための回転ボリューム（動作保持時間設定部）と、明るさセンサの感度を調整する明るさセンサ調整スイッチとを備える熱線センサ付自動スイッチが開示されている。
【特許文献１】特開２００３−２４９１５２号公報（段落００１３〜００３８及び第１図）
【発明の開示】
【発明が解決しようとする課題】
【０００４】
しかしながら、従来のスイッチには、１つの照明器具の点灯と消灯しか制御することができないという問題があった。つまり、宅外の照明器具Ｌ１と宅内の照明器具Ｌ２との両方を点灯制御するためには、１つのスイッチで制御することができず、図１７に示すように２つのスイッチ９０，９１が必要であった。
【０００５】
本発明は上記の点に鑑みて為されたものであり、その目的とするところは、宅外の照明器具と宅内の照明器具の両方の点灯制御を行うことができるとともに、配線工事を不要とすることができる熱線センサ付自動スイッチを提供することにある。
【課題を解決するための手段】
【０００６】
請求項１の発明は、宅外の照明負荷及び宅内の照明負荷のそれぞれと２線式配線によって接続する熱線センサ付自動スイッチであって、造営面に配設される器体を備え、人体からの熱線を検知する熱線センサと、前記宅外の照明負荷及び前記電源が直列に接続される第１の直列回路の両端間に電気的に接続され当該両端間を電気的に開閉する第１の開閉素子と、前記宅内の照明負荷及び前記電源が直列に接続される第２の直列回路の両端間に電気的に接続され当該両端間を電気的に開閉する第２の開閉素子と、前記第１の直列回路の両端間の開閉を切り替えるための操作信号を作成する第１の操作スイッチと、前記第１の操作スイッチから前記操作信号が入力されると当該入力される操作信号に応じて前記第１の直列回路の両端間における開閉を切り替えるように第１の開閉素子を制御して前記宅外の照明負荷の点灯と消灯を切り替える第１の制御機能、及び、前記熱線センサが前記熱線を検知すると前記第２の直列回路の両端間を閉状態になるように前記第２の開閉素子を制御して前記宅内の照明負荷を点灯させる第２の制御機能を有する制御手段とを前記器体に収納して備えることを特徴とする。
【０００７】
請求項２の発明は、請求項１の発明において、前記器体の前面に設けられ前記宅内の照明負荷の点灯時間を設定するための設定操作部と、前記設定操作部に対向する部位に開口窓が形成され前記器体の前記前面に回動自在に枢支される操作ハンドルと、前記操作ハンドルの前面側に設けられ、前記開口窓を露出させる位置と当該開口窓を覆う位置との間で回動自在に枢着されるハンドルカバーとを備えることを特徴とする。
【０００８】
請求項３の発明は、請求項２の発明において、前記器体の前記前面に露出し前記操作ハンドルで押駆動される操作子を有して当該器体に収納される第２の操作スイッチを備え、前記制御手段が、前記操作子が前記操作ハンドルで押されると前記宅内の照明負荷が点灯しているときは消灯し、消灯しているときは点灯するように制御する第３の制御機能を有することを特徴とする。
【０００９】
請求項４の発明は、請求項１乃至３のいずれか１項の発明において、前記制御手段が前記宅外の照明負荷を調光制御することを特徴とする。
【００１０】
請求項５の発明は、請求項１乃至４のいずれか１項の発明において、前記宅外の照明負荷及び前記宅内の照明負荷の少なくとも一方の点灯と消灯の切替を設定するための無線信号を送信する子器から前記無線信号を受信する受信手段を備え、前記制御手段が、前記無線信号に基づいて前記宅外の照明負荷及び前記宅内の照明負荷のそれぞれの点灯と消灯を切り替える第４の制御機能を有することを特徴とする。
【発明の効果】
【００１１】
請求項１の発明によれば、宅内の照明負荷に対して熱線センサによる点灯制御を行うことができるとともに、宅外の照明器具の点灯制御も行うことができる。さらに、２線式配線であるため、既設の配線のままで従来のスイッチと置き換えることができ、配線工事を不要とすることができる。
【００１２】
請求項２の発明によれば、宅内の照明負荷の点灯時間を設定操作部で設定することができるとともに、上記設定操作部への不要な操作やいたずらを防止することができ、さらにデザイン性を高めることができる。
【００１３】
請求項３の発明によれば、熱線センサが有効時間中であっても、操作ハンドルへの押操作によって、宅内の照明負荷が消灯しているときに一時的に点灯させることができるとともに、宅内の照明負荷が点灯しているときに消灯させることができるので、宅内の照明負荷への無駄な電力供給を低減することができる。
【００１４】
請求項４の発明によれば、宅外の照明負荷を調光することができる。
【００１５】
請求項５の発明によれば、子器をユーザの操作可能な位置にあればよいので、熱線センサ付自動スイッチの取付位置の自由度を高くすることができるとともに、子器との通信を無線信号で行うので、子器との配線のための工事を不要とすることができる。
【発明を実施するための最良の形態】
【００１６】
（実施形態１）
まず、本発明の実施形態１に係る熱線センサ付自動スイッチの構成について図１〜４を用いて説明する。
【００１７】
熱線センサ付自動スイッチ１は、図２に示すように、宅内の造営面（図示せず）に配設される器体２と、器体２の前面２３０に回動自在に枢支される操作ハンドル３と、操作ハンドル３の前面側に回動自在に枢着されるハンドルカバー４と、人体からの熱線を検知する熱線センサ５と、宅外の照明負荷Ｌ１及び宅内の照明負荷Ｌ２（図１参照）の点灯と消灯を制御する回路部６とを備えている。この熱線センサ付自動スイッチ１は、図１に示すように、宅外の照明負荷Ｌ１及び宅内の照明負荷Ｌ２のそれぞれと商用電源ＡＣとの間に挿入され、宅外の照明負荷Ｌ１及び宅内の照明負荷Ｌ２のそれぞれと２線式配線によって接続している。このような熱線センサ付自動スイッチ１は宅内に配設されることによって、いたずらを防止することができるとともに、環境変化による劣化を低減することができる。なお、熱線センサ付自動スイッチ１の外観斜視図を図３に示している。
【００１８】
図１に示す宅外の照明負荷Ｌ１は例えばポーチ灯など玄関の外側に配置されたものであり、宅内の照明負荷Ｌ２は宅内の例えば玄関などに配置されたものである。
【００１９】
器体２は、図２に示すように直方体状であって、前面開口した合成樹脂製のボディ２０と、後面開口した合成樹脂製のカバー２１とから構成される。この器体２は、規格化された単位モジュール寸法（１個モジュール寸法）の埋込型配線器具３個分に相当する寸法に形成された１連用モジュールである。また、器体２の左右方向（図２のＹ軸方向）の寸法は、後述の既存の埋込配線器具用の取付枠７の窓孔７０の左右方向（短手方向）とほぼ等しい。
【００２０】
ボディ２０は、上面２００及び下面のそれぞれに一体に設けられた組立突起２０１，２０１を１対ずつ備えている。このボディ２０には端子群２０２が収納される。
【００２１】
一方、カバー２１は、上面２１０及び下面のそれぞれの後縁から後方に延設された組立片２１１，２１１を１対ずつ備えている。このカバー２１は、各組立片２１１の組立孔２１２にボディ２０の組立突起２０１が係合することによって、ボディ２０と互いの開口を合わせるように結合する。
【００２２】
また、カバー２１は、左右方向（図２のＹ軸方向）における一方の側壁である右側壁２１３に突出して設けられ取付枠７の器具取付孔７２に係合可能な取付爪２１４を１対、左側壁に突出して設けられ取付枠７の器具取付孔７２に係合可能な取付爪（図示せず）を２対備えている。カバー２１の右側壁２１３には、１対の取付爪２１４が突設された部位の上下両側部に後端が開放された２本の切り込み溝２１５，２１５が前後方向（図２のＸ軸方向）に沿って形成され、２本の切り込み溝２１５，２１５の間の部位に、厚み方向に可撓性を有する撓み片２１６が設けられている。そして、カバー２１内において撓み片２１６の裏面側には空所が形成され、撓み片２１６をカバー２１の内側に撓ませることによって、撓み片２１６に設けられた１対の取付爪２１４，２１４をカバー２１の側面から弾性的に後退させることを可能とする。
【００２３】
ここで、取付枠７について説明する。取付枠７は、規格化された単位モジュール寸法（１個モジュール寸法）の埋込型配線器具を長手方向（図２のＺ軸方向）に３個並べて取付可能な１連のものである。この取付枠７の窓孔７０を囲む両側片７１，７１には、配線器具を取り付けるための器具取付孔７２・・・が３対ずつ形成されている。この器具取付孔７２・・・にカバー２１の取付爪２１４が係合することによって、器体２が取付枠７に固定される。器体２を取付枠７に取り付ける際には、カバー２１の左側壁に設けられた取付爪（図示せず）を取付枠７の器具取付孔７２に挿入するとともに、右側壁２１３に設けられた取付爪２１４，２１４をカバー２１の側面から後退させるようにして、取付枠７の窓孔７０に器体２の前部を挿入すれば、右側壁２１３の取付爪２１４，２１４が器具取付孔７２に挿入されて器体２が取付枠７に保持される。一方、器体２を取り外す際には、撓み片２１６をカバー２１の内側に押し込むようにすれば、撓み片２１６に設けられた取付爪２１４，２１４が器具取付孔７２から抜け、取付枠７から器体２を取り外すことができる。
【００２４】
また、取付枠７の上下の枠片７３，７３のそれぞれには、ボックス螺子７４０，７４０を挿通するための長孔７４，７４が１つずつ形成されている。それぞれの長孔７４に挿通されたボックス螺子７４０が、例えば壁面などの造営面に埋設された埋込ボックスのねじ部（図示せず）に螺合されることによって、取付枠７が造営材（図示せず）に固定され、この取付枠７に保持された器体２の後部は造営材に埋設される。さらに、各枠片７３にはプレート螺子用のねじ孔７５・・・が１対ずつ形成されている。取付枠７は前面側で、合成樹脂で矩形枠状に形成されたプレート枠（図示せず）とプレート螺子（図示せず）を用いてねじ止めされる。このプレート枠の前面側に化粧プレート７６（図３参照）が着脱自在に取着される。プレート枠及び化粧プレート７６には、それぞれ、取付枠７の窓孔７０よりも長寸かつ幅広の窓孔７６０が形成され、上記窓孔７６０を通して熱線センサ付自動スイッチ１の前面が露出するようになっている。
【００２５】
カバー２１には円状の窓孔２２０，２２１，２３２，２３３が４つ、これらの窓孔２２０，２２１より小さい円状の窓孔２２２が１つ形成されている。また、カバー２１の前面には、前方に突出する突台部２２３が設けられている。この突台部２２３には、前面が長方形状に形成された凸部２２４が前方に向かって突設されている。凸部２２４の左右方向における略中央には角孔状の挿通孔２２５が形成され、この挿通孔２２５から後述の切替スイッチ６５のスライド釦６５０が露出する。また、突台部２２３の前面の下方には開口２２６が形成されている。開口２２６の上下には弧状の突出部２２７，２２８が設けられている。
【００２６】
さらに、カバー２１は、操作ハンドル３を枢着するために、前面２３０の左側端部から前方に突出して一体に設けられた１対の軸部２３１，２３１を備えている。各軸部２３１の前端部はカバー２１の長手方向に沿った円柱状に形成されている。
【００２７】
操作ハンドル３は、左右方向が化粧プレート７６の窓孔７６０（図３参照）の左右方向（短手方向）とほぼ同じ寸法に、上下方向が窓孔７６０の上下方向（長手方向）のほぼ３分の２の寸法になるように、合成樹脂で矩形板状に形成されたものである。この操作ハンドル３は、左側部３０の背面に設けられた軸受部（図示せず）を備えている。この軸受部がカバー２１の軸部２３１，２３１に回動自在に枢支されることによって、操作ハンドル３は器体２の前面２３０の上半分を覆う形で器体２の前面２３０に回動自在に枢支される。
【００２８】
また、操作ハンドル３は、カバー２１の前面２３０に露出する後述の操作子６１０と対向する部位に設けられた押突起３１を裏面に備えている。操作ハンドル３の右側部３２が押操作されると、操作ハンドル３が軸部２３１，２３１を支点にして回動し、操作ハンドル３の押突起３１によって操作子６１０が押され、操作スイッチ６１がオンする。一方、押圧する力が操作ハンドル３からなくなると、操作ハンドル３が操作子６１０の反力などを受けて復帰位置に戻り、操作スイッチ６１がオフする。なお、操作ハンドル３は、軸部２３１，２３１で枢支された左側縁を取付枠７の前面に面接触させているので、操作ハンドル３の左側部３０を押したとしても、操作ハンドル３が傾くのを防止できる。
【００２９】
さらに、操作ハンドル３は薄肉部３３を有し、この薄肉部３３におけるカバー２１の窓孔２２０，２２１に対応する部位には、後述の動作保持時間設定部（設定操作部）６２及び明るさセンサ調整部６３をそれぞれ挿通させるために、この動作保持時間設定部６２及び明るさセンサ調整部６３に対向する部位に開口窓３４，３５が形成され、後述の常夜灯設定部６４に対向する部位に開口窓３８，３９が形成されている。
【００３０】
操作ハンドル３がカバー２１の上側に取り付けられるのに対し、カバー２１の下側には化粧カバー３６が取り付けられる。化粧カバー３６には、カバー２１の挿通孔２２５の左右方向（図２のＹ軸方向）における中央に対向する位置に挿通孔３６０が形成され、開口２２６に対向する位置に開口３６１が形成されている。
【００３１】
ハンドルカバー４は、操作ハンドル３の薄肉部３３を覆うように、操作ハンドル３の前面に回動自在に枢着されている。ハンドルカバー４の左右方向及び上下方向の寸法は、それぞれ、薄肉部３３の左右方向及び上下方向とほぼ同じである。また、ハンドルカバー４には、操作ハンドル３の上下両側面に設けられた軸部３７，３７に枢支される軸部４０が設けられている。このように操作ハンドル３の軸部３７，３７に軸部４０を軸支させることで、ハンドルカバー４は、開口窓３４，３５，３８，３９を露出させる位置と、開口窓３４，３５，３８，３９を覆う位置とを選択自在として操作ハンドル３の前面に回動自在に取着される。このようなハンドルカバー４を用いることによって、ハンドルカバー４を閉めたときに薄肉部３３の大部分を隠すことができるので、すっきりとしたデザインにすることができる。
【００３２】
熱線センサ５は例えば焦電素子などのセンサ素子を備え、予め設定された領域内に存在する人体からの熱線を検知するものであり、後述の回路部６の回路基板６０に実装されている。この熱線センサ５は、例えばＣｄＳやフォトダイオードなどの明るさセンサ５０と一体に構成され、この明るさセンサ５０によって周囲の明るさを識別することも可能である。
【００３３】
このような熱線センサ５は前面側をセンサカバー５１で覆われている。センサカバー５１には、熱線センサ５を露出させる検知窓５１０が形成されている。この検知窓５１０を通して、熱線センサ５は人体からの熱線を外部から検知する。センサカバー５１は、カバー２１と回路部６とに挟持されるようにして器体２に収納される。
【００３４】
センサカバー５１とカバー２１との間には１対のシャッター５２，５２が設けられている。各シャッター５２は、弧状の基部５２０と、基部５２０の一端から角度を有して延設された取手部５２１とを一体に備えている。カバー２１とセンサカバー５１の間に設けられた各シャッター５２は左右方向に可動自在であり、熱線センサ５の一部を覆う。つまり、ユーザによる取手部５２１を用いた操作によって基部５２０が可動し、センサカバー５１の検知窓５１０の開閉具合が調整される。これにより、熱線センサ５の検知エリアを調整することができるので、従来のスイッチから実施形態１の熱線センサ付自動スイッチ１に置き換えた場合に、検知エリアの最適化を行うことができる。
【００３５】
回路部６は、例えばプリント配線板などの回路基板６０と、操作ハンドル３で押駆動される操作子６１０を有する操作スイッチ６１と、宅内の照明負荷Ｌ２（図１参照）の点灯時間を設定するための動作保持時間設定部６２と、明るさセンサ５０の明るさ検知レベルを設定するための明るさセンサ調整部６３と、宅外の照明負荷Ｌ１（図１参照）を常夜灯として点灯させる時間を設定するための常夜灯設定部６４と、宅外の照明負荷Ｌ１の点灯と消灯を手動で切り替えるためのスライド式の切替スイッチ６５とを備え、器体２に収納される。この回路部６の裏面側には放熱板６６が設けられている。
【００３６】
操作スイッチ６１の操作子６１０は、器体２の前面２３０に露出し、操作ハンドル３で押駆動されるものである。
【００３７】
動作保持時間設定部６２は例えばロータリスイッチなどであり、器体２の前面２３０に設けられ、ユーザの操作によって動作保持時間Ｔ１を設定するものである。図４に示すように、動作保持時間は１０秒から３０分までの範囲で設定することが可能である。これにより、宅内の照明負荷（図４の「内玄関灯」）Ｌ２の点灯時間の最適化を図ることができる。また、明るさセンサ調整部６３は例えばロータリスイッチなどであり、ユーザの操作によって明るさセンサ５０の明るさ検知レベルを「暗め」（例えば５Ｌｘ以下）から「明るめ」（例えば１００Ｌｘ以上）までの範囲で設定するものである。また、「切」に設定すると明るさセンサ５０の機能を停止させる。これにより、周囲が明るいときに宅内の照明負荷Ｌ２を点灯させることを防止することができるので、省エネルギー化を図ることができる。
【００３８】
常夜灯設定部６４は、点灯開始時刻を設定するための常夜灯点灯設定部６４０と、点灯終了時刻を設定するための常夜灯消灯設定部６４１とを備えている。常夜灯点灯設定部６４０は、操作摘み６４２によって点灯開始時刻を設定可能である。また、常夜灯消灯設定部６４１は、操作摘み６４３によって点灯終了時刻を設定可能である。これにより、ユーザはハンドルカバー４を開けて常夜灯点灯時間を設定することによって、宅外の照明負荷Ｌ１をタイムスイッチ制御することができる。
【００３９】
切替スイッチ６５は、図３（ａ）に示すように、スライド釦６５０を「切」、「自動」、「連続入」に合わせることを可能とするものである。スライド釦６５０を「切」に合わせると、宅外の照明負荷Ｌ１を強制的に消灯させ、スライド釦６５０を他に合わせない限り、消灯させたままである。スライド釦６５０を「自動」に合わせると、宅外の照明負荷Ｌ１を、熱線センサ５による検知や、常夜灯設定部６４によるタイマ制御に基づいて点灯させたり、消灯させたりすることができる。一方、スライド釦６５０を「連続入」に合わせると、スライド釦６５０を他に合わせない限り、宅外の照明負荷Ｌ１を強制的に連続点灯させる。これにより、宅外の照明負荷Ｌ１を手動でも点灯と消灯を切り替えることができる。
【００４０】
ここで、回路部６の回路構成について図１を用いて説明する。回路部６は、熱線センサ５や明るさセンサ５０からの出力を制御部（マイクロコンピュータ）６７に入力している。制御部６７は熱線センサ５及び明るさセンサ５０の出力をＡ／Ｄ変換し、さらに熱線センサ５の出力値に基づいて予め設定された検知エリア内における人の存否を判断する。この制御部６７は、第１の開閉素子６７０及び第２の開閉素子６７１の開閉を制御する機能を有する。第１の開閉素子６７０は、宅外の照明負荷Ｌ１及び商用電源ＡＣが直列に接続される第１の直列回路の両端間に電気的に接続され、制御部６７による制御によって上記両端間を電気的に開閉する。一方、第２の開閉素子６７１は例えばトライアックなどであり、宅内の照明負荷Ｌ２及び商用電源ＡＣが直列に接続される第２の直列回路の両端間に電気的に接続され、制御部６７による制御によって上記両端間を電気的に開閉する。
【００４１】
制御部６７は、切替スイッチ６５での設定に応じて第１の直列回路の両端間における開閉を切り替えるように第１の開閉素子６７０を制御して宅外の照明負荷Ｌ１の点灯と消灯を切り替える第１の制御機能、熱線センサ５が熱線を検知すると第２の直列回路の両端間を閉状態になるように第２の開閉素子６７１を制御して宅内の照明負荷Ｌ２を点灯させる第２の制御機能、及び、操作スイッチ６１の操作子６１０が操作ハンドル３で押されると宅内の照明負荷Ｌ２が点灯しているときは消灯し、消灯しているときは点灯するように制御する第３の制御機能を有する。
【００４２】
次に、実施形態１に係る熱線センサ付自動スイッチ１の動作について図５を用いて説明する。ここでは、ある１日の動作について説明する。まず、６時前に熱線センサ５が熱線を検知すると、宅内の照明負荷Ｌ２を動作保持時間Ｔ１が経過するまで点灯させる。宅外の照明負荷Ｌ１は消灯したままである。その後、１２時前に熱線センサ５が熱線を検知する。しかし、明るさセンサ５０によって周囲が明るいことが検知されているので、宅内の照明負荷Ｌ２を点灯させるような制御を行わない。その後、１７時頃に熱線センサ５が熱線を検知する。このときは周囲が暗くなっているので、宅内の照明負荷Ｌ２を動作保持時間Ｔ１が経過するまで点灯させる。このとき、宅外の照明負荷Ｌ１に対しては常夜灯としての点灯設定が１７時から２２時前まで設定されており、宅外の照明負荷Ｌ１を上記のように設定された時間が経過するまで点灯させる。
【００４３】
上記より、宅外の照明負荷Ｌ１に対しては、点灯開始時間及び点灯終了時間（消灯時間）による点灯制御が行われ、宅内の照明負荷Ｌ２に対しては、熱線センサ５や明るさセンサ５０、動作保持時間Ｔ１を用いた点灯制御が行われる。
【００４４】
以上、実施形態１によれば、１つの熱線センサ付自動スイッチ１によって、宅内の照明負荷Ｌ２に対して熱線センサ５による点灯制御を行うことができるとともに、宅外の照明器具Ｌ１の点灯制御も行うことができる。さらに、熱線センサ付自動スイッチ１は２線式配線であるため、既設の配線のままで従来のスイッチと置き換えることができ、配線工事を不要とすることができる。
【００４５】
また、宅内の照明負荷Ｌ２の動作保持時間Ｔ１を動作保持時間設定部６２で設定することができるとともに、ハンドルカバー４によって、この動作保持時間設定部６２への不要な操作やいたずらを防止することができ、さらにデザイン性を高めることができる。
【００４６】
さらに、熱線センサ５が有効時間中であっても、操作ハンドル３への押操作によって、宅内の照明負荷Ｌ２が消灯しているときに一時的に点灯させることができるとともに、宅内の照明負荷Ｌ２が点灯しているときに消灯させることができるので、宅内の照明負荷Ｌ２への無駄な電力供給を低減することができる。
【００４７】
（実施形態２）
本発明の実施形態２に係る熱線センサ付自動スイッチ１ａの構成について図６，７を用いて説明する。この熱線センサ付自動スイッチ１ａは、実施形態１の常夜灯設定部６４に代えて図６に示すような常夜灯設定部６４ａを備えている。この常夜灯設定スイッチ６４ａは、図７に示すような点灯継続時間を設定するためのものであり、操作摘み６４４によって最大８時間まで設定可能である。
【００４８】
なお、実施形態２に係る熱線センサ付自動スイッチ１ａの動作については、実施形態１の熱線センサ付自動スイッチ１（図２参照）と同様である。
【００４９】
以上、実施形態２によれば、実施形態１と同様の効果を得ることができる。
【００５０】
（実施形態３）
まず、本発明の実施形態３に係る熱線センサ付自動スイッチ１ｂの構成について図８，９を用いて説明する。この熱線センサ付自動スイッチ１ｂは、実施形態２の熱線センサ付自動スイッチ１ａ（図６参照）に、図１１に示すような調光時間設定部６８を備える構成である。この調光時間設定部６８は、図９に示すように、調光レベル１０％で調光させたい時間を設定するものであり、操作摘み６８０によって最大８時間設定可能である。
【００５１】
また、実施形態２の制御部は、調光時間設定部６８で設定された調光時間にしたがって、宅外の照明負荷Ｌ１を調光制御する。なお、実施形態２の制御部は上記以外の点において実施形態１の制御部６７（図１参照）と同様である。
【００５２】
次に、実施形態３に係る熱線センサ付自動スイッチ１ｂの動作について図１０を用いて説明する。ここでは、ある１日の動作について説明する。まず、６時前に熱線センサ５が熱線を検知すると、宅内の照明負荷Ｌ２を動作保持時間Ｔ１が経過するまで点灯させる。宅外の照明負荷Ｌ１は消灯したままである。その後、１２時前に熱線センサ５が熱線を検知する。しかし、明るさセンサ５０によって周囲が明るいことが検知されているので、宅内の照明負荷Ｌ２を点灯させるような制御を行わない。その後、１７時頃に熱線センサ５が熱線を検知する。このときは周囲が暗くなっているので、宅内の照明負荷Ｌ２を動作保持時間Ｔ１が経過するまで点灯させる。このとき、宅外の照明負荷Ｌ１に対しては常夜灯としての点灯設定が１７時から２２時前まで設定されており、宅外の照明負荷Ｌ１を上記のように設定された時間が経過するまで点灯させる。その後、宅外の照明負荷Ｌ１を調光レベル１０％にして調光点灯させる。
【００５３】
以上、実施形態３によれば、宅外の照明負荷Ｌ１を調光することができる。
【００５４】
（実施形態４）
まず、本発明の実施形態４に係る熱線センサ付自動スイッチ１ｃの構成について図１１，１２を用いて説明する。この熱線センサ付自動スイッチ１ｃは、実施形態１の熱線センサ付自動スイッチ１（図２参照）と同様に、器体２と、操作ハンドル３と、ハンドルカバー４と、熱線センサ５とを備えているが、実施形態１の熱線センサ付自動スイッチ１にはない以下に記載の特徴部分を有する。
【００５５】
熱線センサ付自動スイッチ１ｃには、宅外の照明負荷Ｌ１の点灯と消灯の切替を設定するための無線信号を送信する子器８が設けられている。この子器８は、人体からの熱線を検知する熱線センサ８０と、周囲の明るさを検知する明るさセンサ８１とを備えている。無線信号には、熱線センサ８０及び明るさセンサ８１による検知に基づく内容が含まれている。
【００５６】
また、熱線センサ付自動スイッチ１ｃの回路部６ａは、図１２に示すように、子器８から無線信号を受信する受信部６７２を制御部６７ａに接続して備えている。そして、制御部６７ａは、無線信号に基づいて宅外の照明負荷Ｌ１の点灯と消灯を切り替える。
【００５７】
次に、実施形態４に係る熱線センサ付自動スイッチ１ｃの動作について図１３を用いて説明する。ここでは、ある１日の動作について説明する。まず、６時前に熱線センサ５が熱線を検知し、子器８から無線信号を受信すると、宅外の照明負荷Ｌ１及び宅内の照明負荷Ｌ２を動作保持時間Ｔ１が経過するまで点灯させる。その後、１２時前に熱線センサ５が熱線を検知し、子器８から無線信号を受信する。しかし、明るさセンサ５０によって周囲が明るいことが検知されているので、宅外の照明負荷Ｌ１及び宅内の照明負荷Ｌ２を点灯させるような制御を行わない。その後、１７時頃に熱線センサ５が熱線を検知する。このときは周囲が暗くなっているので、宅内の照明負荷Ｌ２を動作保持時間Ｔ１が経過するまで点灯させる。このとき、宅外の照明負荷Ｌ１に対しては常夜灯としての点灯設定が１７時から２２時前まで設定されており、宅外の照明負荷Ｌ１を上記のように設定された時間が経過するまで点灯させる。その後、２３時過ぎに子器８から無線信号を受信すると、宅外の照明負荷Ｌ１のみを動作保持時間Ｔ１が経過するまで点灯させる。
【００５８】
以上、実施形態４によれば、子器８をユーザの操作可能な位置にあればよいので、熱線センサ付自動スイッチ１ｃの取付位置の自由度を高くすることができるとともに、子器８との通信を無線信号で行うので、子器８との配線のための工事を不要とすることができる。
【００５９】
また、熱線センサ付自動スイッチ１ｃを宅内の照明負荷Ｌ２の近くに配設し、子器８を宅外の照明負荷Ｌ１の近くに配設することによって、宅内と宅外の明るさを個別に検知することができるので、より効果的に点灯制御を行うことができる。
【００６０】
（実施形態５）
まず、本発明の実施形態５に係る熱線センサ付自動スイッチ１ｃの構成について図１１，１２を用いて説明する。実施形態５の熱線センサ付自動スイッチ１ｃは、図１１に示すように、実施形態４の熱線センサ付自動スイッチと同様の構成であるが、実施形態４の熱線センサ付自動スイッチにはない以下に記載の特徴部分を有する。
【００６１】
実施形態５の熱線センサ付自動スイッチ１ｃは、常夜灯として設定した時間帯において、宅外の照明負荷Ｌ１を調光点灯させ、子器８から無線信号を受信すると動作保持時間Ｔ１が経過するまで調光レベル１００％で点灯させるものである。
【００６２】
次に、実施形態５に係る熱線センサ付自動スイッチ１ｃの動作について図１４を用いて説明する。ここでは、ある１日の動作について説明する。まず、６時前に熱線センサ５が熱線を検知し、子器８から無線信号を受信すると、宅外の照明負荷Ｌ１及び宅内の照明負荷Ｌ２を動作保持時間Ｔ１が経過するまで点灯させる。その後、１２時前に熱線センサ５が熱線を検知し、子器８から無線信号を受信する。しかし、明るさセンサ５０によって周囲が明るいことが検知されているので、宅外の照明負荷Ｌ１及び宅内の照明負荷Ｌ２を点灯させるような制御を行わない。その後、１７時頃に熱線センサ５が熱線を検知する。このときは周囲が暗くなっているので、宅内の照明負荷Ｌ２を動作保持時間Ｔ１が経過するまで点灯させる。このとき、宅外の照明負荷Ｌ１に対しては常夜灯としての点灯設定が１７時から２２時前まで設定されており、宅外の照明負荷Ｌ１を上記のように設定された時間、調光レベル５０％で調光点灯させる。ここで、１９時過ぎに子器８から無線信号を受信すると、宅外の照明負荷Ｌ１を動作保持時間Ｔ１が経過するまで調光レベル１００％で点灯させる。その後、２３時過ぎに子器８から無線信号を受信すると、宅外の照明負荷Ｌ１のみを動作保持時間Ｔ１が経過するまで調光レベル１００％で点灯させる。
【００６３】
以上、実施形態５によれば、実施形態４と同様に、熱線センサ付自動スイッチ１ｃの取付位置の自由度を高くすることができるとともに、子器８との配線のための工事を不要とすることができる。また、宅外の照明負荷Ｌ１を調光点灯させることができる。
【００６４】
（実施形態６）
本発明の実施形態５に係る熱線センサ付自動スイッチ１ｃは、常夜灯として設定した時間帯において、宅外の照明負荷Ｌ１を調光点灯させ、子器８から無線信号を受信すると動作保持時間Ｔ２が経過するまで調光レベル１００％で点灯させるとともに、常夜灯設定時間以外の時間帯に子器８から無線信号を受信すると調光レベル１０％で調光点灯させるものである。
【００６５】
次に、実施形態６に係る熱線センサ付自動スイッチ１ｃの動作について図１５を用いて説明する。ここでは、ある１日の動作について説明する。まず、６時前に熱線センサ５が熱線を検知し、子器８から無線信号を受信すると、宅外の照明負荷Ｌ１及び宅内の照明負荷Ｌ２を動作保持時間Ｔ１が経過するまで点灯させる。このとき、宅外の照明負荷Ｌ１を調光レベル１０％で調光点灯させる。その後、１２時前に熱線センサ５が熱線を検知し、子器８から無線信号を受信する。しかし、明るさセンサ５０によって周囲が明るいことが検知されているので、宅外の照明負荷Ｌ１及び宅内の照明負荷Ｌ２を点灯させるような制御を行わない。その後、１７時頃に熱線センサ５が熱線を検知する。このときは周囲が暗くなっているので、宅内の照明負荷Ｌ２を動作保持時間Ｔ１が経過するまで点灯させる。このとき、宅外の照明負荷Ｌ１に対しては常夜灯としての点灯設定が１７時から２２時前まで設定されており、宅外の照明負荷Ｌ１を上記のように設定された時間、調光レベル５０％で調光点灯させる。ここで、１９時過ぎに子器８から無線信号を受信すると、宅外の照明負荷Ｌ１を動作保持時間Ｔ１が経過するまで調光レベル１００％で点灯させる。その後、２３時過ぎに子器８から無線信号を受信すると、宅外の照明負荷Ｌ１のみを動作保持時間Ｔ１が経過するまで調光レベル１０％で調光点灯させる。
【００６６】
以上、実施形態６によれば、実施形態５と同様に、宅外の照明負荷Ｌ１を調光点灯させることができる。
【００６７】
なお、実施形態４乃至６のいずれかの変形例として、子器８が、宅内の照明負荷Ｌ２の点灯と消灯の切替を設定するための無線信号を送信し、熱線センサ付自動スイッチ１ｃの回路部６ａにおける制御部６７ａが、無線信号に基づいて宅内の照明負荷Ｌ２の点灯と消灯を切り替えるように制御してもよい。
【００６８】
（実施形態７）
本発明の実施形態７に係る熱線センサ付自動スイッチ１ｄの構成について図１６を用いて説明する。この熱線センサ付自動スイッチ１ｄは、実施形態４の熱線センサ付自動スイッチ１ｃ（図１１参照）と同様の構成であるが、実施形態４の熱線センサ付自動スイッチ１ｃにはない以下に記載の特徴部分を有する。
【００６９】
熱線センサ付自動スイッチ１ｄには、宅外の照明負荷Ｌ１の点灯と消灯の切替を設定するための操作信号を有線で送信する子器８ａが設けられている。この子器８ａは、実施形態４の子器８と同様に、人体からの熱線を検知する熱線センサ８０と、周囲の明るさを検知する明るさセンサ８１とを備えている。操作信号には、熱線センサ８０及び明るさセンサ８１による検知に基づく内容が含まれている。
【００７０】
また、熱線センサ付自動スイッチ１ｄの回路部は、子器８ａから操作信号を受信する受信部６７２（図１２参照）を備えている。そして、実施形態７の制御部６７ａ（図１２参照）は、操作信号に基づいて宅外の照明負荷Ｌ１の点灯と消灯を切り替える。
【００７１】
実施形態７の熱線センサ付自動スイッチ１ｄの動作は、無線信号を送信する子器８が設けられている熱線センサ付自動スイッチ１ｃの場合と、無線信号を有線の操作信号とすること以外、同様である。
【００７２】
以上、実施形態７によれば、子器８ａと有線で接続された場合であっても、宅外の照明負荷Ｌ１の点灯を制御することができる。
【００７３】
なお、実施形態７の変形例として、子器８ａが、宅内の照明負荷Ｌ２の点灯と消灯の切替を設定するための操作信号を送信し、熱線センサ付自動スイッチ１ｄの回路部６ａにおける制御部６７ａが、操作信号に基づいて宅内の照明負荷Ｌ２の点灯と消灯を切り替えるように制御してもよい。
【００７４】
また、実施形態１乃至７のいずれかの変形例として、熱線センサ付自動スイッチ１，１ａ〜１ｄは２個モジュール寸法に形成されたものであってもよい。このような構成にすると、１個モジュール寸法に形成された他の配線器具（例えばスイッチなど）と並設可能である。
【図面の簡単な説明】
【００７５】
【図１】本発明の実施形態１に係る熱線センサ付自動スイッチの配線図である。
【図２】同上に係る熱線センサ付自動スイッチの分解斜視図である。
【図３】同上に係る熱線センサ付自動スイッチであって、（ａ）がハンドルカバーを閉じたときの外観斜視図、（ｂ）がハンドルカバーを開けたときの外観斜視図である。
【図４】同上に係る熱線センサ付自動スイッチの要部を示す図である。
【図５】同上に係る熱線センサ付自動スイッチのタイムチャートである。
【図６】本発明の実施形態２に係る熱線センサ付自動スイッチであって、ハンドルカバーを開けたときの外観斜視図である。
【図７】同上に係る熱線センサ付自動スイッチの要部を示す図である。
【図８】本発明の実施形態３に係る熱線センサ付自動スイッチであって、ハンドルカバーを開けたときの外観斜視図である。
【図９】同上に係る熱線センサ付自動スイッチの要部を示す図である。
【図１０】同上に係る熱線センサ付自動スイッチのタイムチャートである。
【図１１】本発明の実施形態４に係る熱線センサ付自動スイッチの施工状態を示す図である。
【図１２】同上に係る熱線センサ付自動スイッチの配線図である。
【図１３】同上に係る熱線センサ付自動スイッチのタイムチャートである。
【図１４】本発明の実施形態５に係る熱線センサ付自動スイッチのタイムチャートである。
【図１５】本発明の実施形態６に係る熱線センサ付自動スイッチのタイムチャートである。
【図１６】本発明の実施形態７に係る熱線センサ付自動スイッチの施工状態を示す図である。
【図１７】従来の熱線センサ付自動スイッチの配線図である。
【符号の説明】
【００７６】
１，１ａ〜１ｄ  熱線センサ付自動スイッチ
２  器体
５  熱線センサ
６，６ａ  回路部
６７，６７ａ  制御部
６７０  第１の開閉素子
６７１  第２の開閉素子
ＡＣ  商用電源
Ｌ１  宅外の照明負荷
Ｌ２  宅内の照明負荷
【図１】
2008108636.tif 000003
【図２】
2008108636.tif 000004
【図３】
2008108636.tif 000005
【図４】
2008108636.tif 000006
【図５】
2008108636.tif 000007
【図６】
2008108636.tif 000008
【図７】
2008108636.tif 000009
【図８】
2008108636.tif 000010
【図９】
2008108636.tif 000011
【図１０】
2008108636.tif 000012
【図１１】
2008108636.tif 000013
【図１２】
2008108636.tif 000014
【図１３】
2008108636.tif 000015
【図１４】
2008108636.tif 000016
【図１５】
2008108636.tif 000017
【図１６】
2008108636.tif 000018
【図１７】
2008108636.tif 000019